【手続補正書】
【提出日】平成21年8月24日(2009.8.24)
【手続補正１】
【補正対象書類名】特許請求の範囲
【補正対象項目名】全文
【補正方法】変更
【補正の内容】
【特許請求の範囲】
【請求項１】
吐出室が形成され、前記吐出室の底壁が振動板となるキャビティ基板と、
前記振動板にギャップを隔てて対向し、該振動板を駆動する個別電極が形成された電極基板と、
前記個別電極を駆動させるためのドライバＩＣとを備え、
前記電極基板には、前記個別電極を駆動するための電力を外部から取り入れるための入力配線が形成されており、
前記キャビティ基板と前記電極基板とが重なる領域の外側に前記入力配線が形成され、前記入力配線からの電力が前記ドライバＩＣに入力される
ことを特徴とする液滴吐出ヘッド。
【請求項２】
吐出室が形成され、前記吐出室の底壁が振動板となるキャビティ基板と、
前記振動板にギャップを隔てて対向し、該振動板を駆動する個別電極が第１の凹部に形成された電極基板と、
前記個別電極を駆動させるためのドライバＩＣとを備え、
前記電極基板には、前記第１の凹部よりも深く、前記入力配線の全部を形成できる幅で第２の凹部が作製されており、
前記第２の凹部に、前記個別電極を駆動するための電力を外部から取り入れるための入力配線を形成し、前記入力配線からの電力が前記ドライバＩＣに入力される
ことを特徴とする液滴吐出ヘッド。
【請求項３】
吐出室が形成され、前記吐出室の底壁が振動板となるキャビティ基板と、
前記振動板にギャップを隔てて対向し、該振動板を駆動する個別電極が形成された電極基板と、
前記個別電極を駆動させるためのドライバＩＣとを備え、
前記電極基板には、前記個別電極を駆動するための電力を外部から取り入れるための入力配線を形成されており、
前記キャビティ基板の前記入力配線と対向する領域に周囲よりもくぼませ、前記入力配線の全部を形成できる幅の凹部を作製し、前記入力配線からの電力が前記ドライバＩＣに入力される
ことを特徴とする液滴吐出ヘッド。
【手続補正２】
【補正対象書類名】明細書
【補正対象項目名】発明の名称
【補正方法】変更
【補正の内容】
【発明の名称】液滴吐出ヘッド
【手続補正３】
【補正対象書類名】明細書
【補正対象項目名】００１０
【補正方法】変更
【補正の内容】
【００１０】
本発明に係る液滴吐出ヘッドは、吐出室が形成され、吐出室の底壁が振動板となるキャビティ基板と、振動板にギャップを隔てて対向し、該振動板を駆動する個別電極が形成された電極基板と、個別電極を駆動させるためのドライバＩＣとを備え、電極基板には、個別電極を駆動するための電力を外部から取り入れるための入力配線が形成されており、キャビティ基板と電極基板とが重なる領域の外側に入力配線が形成され、入力配線からの電力がドライバＩＣに入力されることを特徴とする。
【手続補正４】
【補正対象書類名】明細書
【補正対象項目名】００１１
【補正方法】変更
【補正の内容】
【００１１】
したがって、入力配線の対向位置にキャビティ基板が存在しないので、入力配線とキャビティ基板との間で予期していない不要な回路が形成されなくて済み、入力配線を流れる各信号が正常な波形を有したままの状態でドライバＩＣに入力されることになる。すなわち、異常な波形を有した信号が入力されることによって発生するドライバＩＣの誤動作を、防止することができるのである。また、ドライバＩＣが誤動作を起こさないので、高画質な印字かつ高速な印刷が可能となる。さらに、ドライバＩＣが誤動作を起こさないので、耐久性に優れている。またさらに、入力配線とキャビティ基板との間で予期していない不要な回路が形成されなくて済み、入力配線を流れる各信号が正常な波形を有したままの状態でドライバＩＣに入力されることになる。
【手続補正５】
【補正対象書類名】明細書
【補正対象項目名】００１２
【補正方法】変更
【補正の内容】
【００１２】
本発明に係る液滴吐出ヘッドは、吐出室が形成され、吐出室の底壁が振動板となるキャビティ基板と、振動板にギャップを隔てて対向し、該振動板を駆動する個別電極が第１の凹部に形成された電極基板と、個別電極を駆動させるためのドライバＩＣとを備え、電極基板には、第１の凹部よりも深く、入力配線の全部を形成できる幅で第２の凹部が作製されており、第２の凹部に、個別電極を駆動するための電力を外部から取り入れるための入力配線を形成し、入力配線からの電力がドライバＩＣに入力されることを特徴とする。
【手続補正６】
【補正対象書類名】明細書
【補正対象項目名】００１３
【補正方法】変更
【補正の内容】
【００１３】
したがって、電極基板に第２の凹部を形成することで入力配線とキャビティ基板との間の距離を長くできるので、入力配線とキャビティ基板との間で予期していない不要な回路が形成されなくて済み、入力配線を流れる各信号が正常な波形を有したままの状態でドライバＩＣに入力されることになる。すなわち、異常な波形を有した信号が入力されることによって発生するドライバＩＣの誤動作を、防止することができるのである。また、ドライバＩＣが誤動作を起こさないので、高画質な印字かつ高速な印刷可能となる。さらに、ドライバＩＣが誤動作を起こさないので、耐久性に優れている。またさらに、入力配線とキャビティ基板との間で予期していない不要な回路が形成されなくて済み、入力配線を流れる各信号が正常な波形を有したままの状態でドライバＩＣに入力されることになる。また、液滴吐出ヘッドの構造を複雑にすることなく、隣接する入力配線同士の干渉も受けずに、入力配線とキャビティ基板との間で予期していない不要な回路が形成されなくて済む。
【手続補正７】
【補正対象書類名】明細書
【補正対象項目名】００１４
【補正方法】変更
【補正の内容】
【００１４】
本発明に係る液滴吐出ヘッドは、吐出室が形成され、吐出室の底壁が振動板となるキャビティ基板と、振動板にギャップを隔てて対向し、該振動板を駆動する個別電極が形成された電極基板と、個別電極を駆動させるためのドライバＩＣとを備え、電極基板には、個別電極を駆動するための電力を外部から取り入れるための入力配線を形成されており、キャビティ基板の入力配線と対向する領域に周囲よりもくぼませ、入力配線の全部を形成できる幅の凹部を作製し、入力配線からの電力がドライバＩＣに入力されることを特徴とする。
【手続補正８】
【補正対象書類名】明細書
【補正対象項目名】００１５
【補正方法】変更
【補正の内容】
【００１５】
したがって、キャビティ基板に凹部を形成することで入力配線とキャビティ基板との間の距離を長くできるので、入力配線とキャビティ基板との間で予期していない不要な回路が形成されなくて済み、入力配線を流れる各信号が正常な波形を有したままの状態でドライバＩＣに入力されることになる。すなわち、異常な波形を有した信号が入力されることによって発生するドライバＩＣの誤動作を、防止することができるのである。また、ドライバＩＣが誤動作を起こさないので、高画質な印字かつ高速な印刷可能となる。さらに、ドライバＩＣが誤動作を起こさないので、耐久性に優れている。またさらに、入力配線とキャビティ基板との間で予期していない不要な回路が形成されなくて済み、入力配線を流れる各信号が正常な波形を有したままの状態でドライバＩＣに入力されることになる。また、液滴吐出ヘッドの構造を複雑にすることなく、隣接する入力配線同士の干渉も受けずに、入力配線とキャビティ基板との間で予期していない不要な回路が形成されなくて済む。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】